(57)【要約】      （修正有）【課題】母屋の継ぎ手に台持ち継ぎによる小屋組みと従来の柱臍、また大入れ仕様の横架材仕口による単純な一棟の軸組み木構造の技術であり、大工加工技術には、多くの知識と経験が求められているが軸組み構造の仕組みを習う方法として、まず一棟の軸組み構造の家を建てるための技術として利用し、次に継ぎ手などの技術を取得して、教材としての役割を持った構造を目指す。【解決手段】平面計画で通し柱を、管柱と管柱の間の横架材の継ぎ手位置に設けることで、継ぎ手をつくらない軸組み構造であり、本考案金物による、通し柱に四方向からの横架材かたぎ大入れ短臍仕口は断面欠損が大きく、断面欠損の小さい接合部仕口技術とによる継ぎ手位置に通し柱を配置させた、単純な一棟の軸組み木構造となった。【選択図】図１１
0003131922.tif 000002
【実用新案登録請求の範囲】
【請求項１】
通し柱と横架材・横架材と横架材の仕口接合部に２７金物１・２７金物２を木材に取り付ける工法。
【請求項２】
横架材へ２７金物を埋め込むための金物用穴が、２７ミリの円加工によるもの。
【請求項３】
上記、請求項１と２による、４メートル（２間）若しくは、６メートル（３間）ごとの継ぎ手位置へ通し柱を配置させた、継ぎ手がない軸組みによる単純な軸組み構造。
【請求項４】
上記、請求項目３により単純な軸組み構造による、新たな軸組み構造の教材としての利用目的。
【考案の詳細な説明】
【考案の詳細な説明】
構造用金物（以下、２７金物・２７金物ボルト）を、通し柱と横架材・横架材と横架材の仕口接合部に利用する軸組み構造。
スギやヒノキなどには変形・比重・せん断強さなど木材の特性があり、木材のクセを学び、土台や柱・桁などで組まれた軸組みを、一階床組み・二階床組み・小屋組みにより二階建て軸組み構造の家が建つ仕組み。
そして、土台接合部に〈大入れあり掛け〉仕口や〈腰掛かま継ぎ〉による継ぎ手など、また、胴差しと通し柱に〈かたぎ大入れ臍差し〉による仕口や〈追掛大せん継ぎ〉による継ぎ手など・小屋組みの母屋に〈台持ち継ぎ〉による継ぎ手などの知識が求められている。
大量の知識で木材を加工するときの作業量も大きく、一般的に技術の取得には、１０年の経験が必要とされている。技術者がこれらの技術の他にも継ぎ手の配置方法など選択する、難解な軸組み構造の仕組みと呼ばれる課題がある。
大入れあり仕口や腰掛かま継ぎの継ぎ手が存在しない四畳半構造物の、臍と臍穴の臍差し工法による単純な軸組み構造を基本とした。
【技術分野】
【０００１】  軸組み構造の仕口接合部を改良した、一棟（一基）の構造物の軸組み構造技術。
難解な軸組み構造を判り易くするため、仕口と継ぎ手による構造の仕組みを単純にすることを前提にした改良に取り組み、仕口の接合方法による単純な軸組み構造とした。
【背景技術】
【０００２】  従来の軸組み構造の仕口や継ぎ手は、柱の臍差し・大入れあり掛け仕口・腰掛かま継ぎ手・台持ち継ぎ手など種類が多く、また一方向・二方向・三方向・四方向の取り合いによる知識や大工の手間は膨大な量になり、技術者の技術が求められている。
【考案の開示】
【考案が解決しようとする課題】
【０００３】  一棟（一基）の軸組み構造物は、大工技術者によって継ぎ手の種類や配置方法が様々であり、よって後継者不足が現実に起きている。難解な軸組み構造の仕口や継ぎ手の技術を残すためのあらたな技術が求められている。
【課題を解決するための手段】
【０００４】  軸組み構造のなかの、小屋組みをのぞいて一階・二階床組みの、３，６４（４，００）ｍ×５，４６（６，００）ｍごとに継ぎ手をつくらない構造とする。
【考案の効果】
【０００５】  墨付け・キザミ技術による経験を増やし、後から継ぎ手の知識や技術を習い、まず一棟（一基）の継ぎ手をつくらない軸組み構造の加工作業を行えることができた。
【考案を実施するための最良の形態】
【０００６】
【実施例】
【０００７】  図３又は、図４による構造用２７金物仕様による、従来のおお入れあり仕口と同等の仕口をつくるための構造用金物【０００８】  一棟（一基）構造体に存在する、通し柱部材と横架材部材に利用した構造用金物仕様の軸組み構造。【００１０】  一棟（一基）構造体に存在する、土台や胴差しなどのＴ字横架材部材に利用した構造用金物仕様の軸組み構造。【００１１】図５又は、図６による、土台や胴差しなどのＴ字横架材部材に利用した構造用２７金物の取り付け方法。【００１２】  土台や胴差しなどのＴ字横架材部材に柱の臍が取り合う場合に利用した構造用金物仕様で、柱部材が込み栓の機能を備えた。【００１３】  図９による、通し柱部材に二方向の土台・胴差しなどの二方向横架材部材に取り合う、構造用２７金物仕様の軸組み構造。【００１４】  図１０による、二階床組みの横架材に上下階柱の取り合い、継ぎ手が配置された従来の軸組み構造。【００１５】  図１１による、通し柱と横架材（土台・胴差しや梁など）の軸組み構造。【００１６】  従来の軸組み構造の継ぎ手位置に、当構造用金物仕様通し柱を配置させ単純な軸組み構造が完成した。
【図面の簡単な説明】
【００１７】
【図１】  構造用２７金物（以下、２７金物）・（構造用２７金物詳細図）
【図２】  従来のボルトと座金・２７金物用ボルト
【図３】  ２７金物１（２７金物・ボルト・座金・ドリフトピン）
【図４】  ２７金物２（２７金物×２・２７金物ボルト・ドリフトピン×２）
【図５】  ２７金物１仕様（通し柱と横架材取り合い例  施行図）
【図６】  ２７金物１仕様（Ｔ字横架材取り合い例  施行図）
【図７】  ２７金物１仕様（Ｔ字横架材取り合い例  分解図）
【図８】  ２７金物１仕様（Ｔ字横架材と柱込み栓取り合い例  分解図）
【図９】  ２７金物２仕様（通し柱と二方向横架材取り合い例  施行図）
【図１０】  従来の軸組み構造の施行方法。２７金物仕様軸組み構造の施行方法。
【図１１】  単純な軸組み構造概要（一階・二階床組み・二階建て軸組み）
【図１２】  単純な軸組み構造概要（図８仕口施行カ所）
【符号の説明】
【００１８】  １  通し柱
２  横架材（土台・梁など）
３  管柱
４  ２７金物用加工穴
５  込み栓用穴
６  大入れ
７  従来の臍・臍穴
【図１】
0003131922.tif 000003
【図２】
0003131922.tif 000004
【図３】
0003131922.tif 000005
【図４】
0003131922.tif 000006
【図５】
0003131922.tif 000007
【図６】
0003131922.tif 000008
【図７】
0003131922.tif 000009
【図８】
0003131922.tif 000010
【図９】
0003131922.tif 000011
【図１０】
0003131922.tif 000012
【図１１】
0003131922.tif 000013
【図１２】
0003131922.tif 000014
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
木造軸組み構造における仕口（複数の部材が取り合った接合部を以下、仕口という。）の構造において、部材の木口に直径２７ｍｍの円形に加工され掘り込まれた穴に、本考案した構造用２７金物を装填しドリフトピン、若しくはボルトで固定し取り付けるための部材の仕口に利用する構造用金物。
【請求項２】
木造軸組み構造における仕口の、請求項１により大入れ加工された部材に、構造用２７金物を部材木口に埋め込ませドリフトピンなどで固定し、相手側からボルトで締め付け接合する仕様（以下、構造用２７金物仕様という。）の仕口加工方法とし、また十字などの仕口でボルトが交差するときに、構造用２７金物位置を部材木口の中心部から上下に移動し交差させて利用する特徴の仕口加工方法による木造軸組み構造。
【請求項３】
請求項１と請求項２による、通し柱と横架材の単純な大入れ仕口で、従来のかたぎ大入れ短臍差しによる通し柱側の断面欠損の欠点を補い改良し、構造用２７金物仕様の仕口による４ｍ（又は、３．６４ｍ）若しくは、６ｍ（又は、５．４６ｍ）ごとの継ぎ手位置に通し柱を配置させ継ぎ手をつくらない特徴の、継ぎ手をなくした木造軸組み構造。
【請求項４】
請求項１乃至３による、平面図縦横通りの８ｍ（又は、７．２８ｍ）×６ｍ（又は、５．４６ｍ）に６ケ所の通し柱を配置させる。また、一階床面積４８ｍ２（又は、３９．７４ｍ２）と二階床面積４８ｍ２（又は、３９．７４ｍ２）の延床面積９６ｍ２（又は、７９．４８ｍ２）の平面計画に於いて２００本程度の軸組み数の仕様を組み合わせ、教材の目的を持った標準的間取り（図１１・１２による各階施工図）の軸組み構造。
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
構造材を接合する金物であって、Ｔ字形の横架材仕口に於いて、一方の横架材の貫通穴に挿通する六角ボルト部と、六角ボルトと同軸的に接続され、かつ前記横架材の軸方向の穴に挿入するフック部材と、横架材に設けた前記穴と直行する貫通穴に挿通するドリフトピンとよりなる構造材の接合金物。
【請求項２】
構造材を接合する金物であって、通し柱に二方向の横架材が取り合う十字形の仕口に於いて、前記通し柱の貫通穴に挿通する両螺子ボルト部と両螺子ボルトと同軸的に接続され、かつ前記二方向横架材の軸方向の穴に挿入するフック部材と、横架材に設けた前記穴と直行する貫通穴に挿通するドリフトピンとよりなる構造材の接合金物。
【請求項３】
請求項１又は請求項２に記載の、構造材の接合金物のフック部材を挿入するために仕口
0003131922.tif 000015
軸組み構造の横架材。
【請求項４】
請求項２に記載の通し柱を、管柱と管柱の間の横架材の継ぎ手位置に設けることで、継ぎ手をつくらないことを特徴とする一棟の軸組み木構造。
【手続補正２】
【補正対象書類名】明細書
【補正対象項目名】全文
【補正方法】変更
【補正の内容】
【考案の詳細な説明】
【考案の詳細な説明】
本考案金物を通し柱と横架材・横架材と横架材の仕口接合部に利用した軸組み構造である。スギやヒノキなどには変形・比重・せん断強さなど木材の特性があり、これら木材のクセを学び、かつ土台や柱・桁などで組まれた軸組みを、一階床組み・二階床組みとそして小屋組みによる、一棟の二階建て軸組み木構造の家を建てる仕組みである。
また土台接合部に大入れあり掛け仕口や腰掛かま継ぎによる継ぎ手など、そして胴差しと通し柱にかたぎ大入れ臍差しによる仕口や追掛大せん継ぎによる継ぎ手などがある。小屋組みの母屋に台持ち継ぎによる継ぎ手などの知識が求められている。大量の知識で木材を加工するときの作業量も大きく、一般的に技術の取得には、１０年の経験が必要とされている。技術者がこれらの技術の他にも継ぎ手の配置方法など選択し、難解な軸組み構造の仕組みと呼ばれる課題がある。
大入れあり仕口や腰掛かま継ぎなどの継ぎ手が存在しない四畳半など構造物の臍と臍穴により建てる臍差し工法による単純な軸組み構造を基本とした。
【技術分野】
【０００１】軸組み構造の仕口接合部を改良した、一棟の構造物の軸組み木構造技術である。難解な軸組み構造を判り易くするため、仕口と継ぎ手による構造の仕組みを単純にすることを前提にした改良に取り組み、仕口の接合方法による単純な一棟の軸組み木構造とした。
【背景技術】
【０００２】  従来の軸組み構造の仕口や継ぎ手は、柱の臍差し・大入れあり掛け仕口・腰掛かま継ぎ手・台持ち継ぎ手など種類が多く、また一方向・二方向・三方向・四方向の取り合いによる知識や大工の手間は膨大な量になり技術者の技術が求められている。
【考案の開示】
【考案が解決しようとする課題】
【０００３】  軸組み構造物は大工技術者によって継ぎ手の種類や配置方法が様々であり、よって後継者不足が現実に起きている。難解な軸組み構造の仕口や継ぎ手の技術を残すためのあらたな技術が求められている。
【課題を解決するための手段】
【０００４】（１）本考案の構造材接合金物は、構造材を接合する金物であって、Ｔ字形の横架材仕口に於いて、一方の横架材の貫通穴に挿通する六角ボルト部と、六角ボルトと同軸的に接続され、かつ前記横架材の軸方向の穴に挿入するフック部材と、横架材に設けた前記穴と直行する貫通穴に挿通するドリフトピンとよりなるものである。
（２）構造材の接合金物は、構造材を接合する金物であって、通し柱に二方向の横架材が取り合う十字形の仕口に於いて、前記通し柱の貫通穴に挿通する両螺子ボルト部と両螺子ボルトと同軸的に接続され、かつ前記二方向横架材の軸方向の穴に挿入するフック部材と、横架材に設けた前記穴と直行する貫通穴に挿通するドリフトピンとよりなるものである。
（３）軸組み構造の横架材は、上記（１）又は（２）に記載の、構造材の接合金物のフック部材を挿入するために仕口に設けた軸方向の穴の断面積が１．１３ｃｍ２から５．７２ｃｍ２以内であることを特徴とするものである。
（４）一棟の軸組み木構造は、上記（２）に記載の通し柱を、管柱と管柱の間の横架材の継ぎ手位置に設けることで、継ぎ手をつくらないことを特徴とするものである。
【考案の効果】
【０００５】  墨付け・キザミ技術による経験を増やし、後から継ぎ手の知識や技術を習い、まず一棟の継ぎ手をつくらない軸組み木構造の加工作業を行えることができる。
【考案を実施するための最良の形態】
【０００６】３×４ブロックプランによる平面計画で、３．６４ｍ若しくは５．４６ｍごとに通し柱を配置させる。
【実施例】
【０００７】図１及び図２は、接合金物の構成部材を示す。【０００８】図３及び図４は、実施例の構造材仕口の接合金物を示す。【０００９】図に於いて、図１は横架材の軸方向の穴に挿入するフック部材（ａ）で、横架材に設けた前記穴と直行する貫通穴に挿通するドリフトピン（ｄ）で固定する。図２はもう一方の横架材又は通し柱の貫通穴に挿通する六角ボルト（ｂ）又は両螺子ボルト（ｃ）である。
実施例の接合金物は、構造材仕口に図３及び図４の通り、上記フック部材（ａ）と六角ボルト（ｂ）と両螺子ボルト（ｃ）とドリフトピン（ｄ）で構成されている。【００１０】図５は、通し柱と横架材の仕口に取り付けられた図３の接合金物の取り合いである。【００１１】図６は、横架材のＴ字形仕口に取り付けられた図３の接合金物の取り合いである。【００１２】図７は、横架材のＴ字形大入れ仕口に取り付けられる図３の接合金物の取り合いである。【００１３】図８は、横架材のＴ字形仕口と管柱が取り合う仕口に、取り付けられ図３の接合金物の取り合いである。また管柱臍の込み栓用穴に六角ボルトが挿通する仕組みである。【００１４】図９は、通し柱と二方向の横架材が取り合う十字形仕口に取り付けられる図４の接合金物の取り合いである。【００１５】図１０は管柱と管柱の間の、横架材の継ぎ手位置を示し、この継ぎ手位置に通し柱を設けることで継ぎ手をつくらない軸組み構造を示すものである。【００１６】図１１は、図１０の継ぎ手をつくらない軸組み構造に、６箇所の通し柱の配置方法による軸組み構造であり、一階床組み・二階床組み・二階建て軸組みにより、各階軸組構造と小屋組みによる一棟の軸組み木構造である。
【図面の簡単な説明】
【００１７】
【図１】フック部材・（フック部材詳細図）斜視図。
【図２】六角ボルトと座金・両螺子ボルト斜視図。
【図３】フック部材構成仕様（フック部材・六角ボルト・座金・ドリフトピン）斜視図。
【図４】フック部材構成２仕様（フック部材×２・両螺子ボルト・ドリフトピン×２）斜視図。
【図５】通し柱と横架材仕口の取り合い斜視図。
【図６】横架材と横架材Ｔ字形仕口の取り合い斜視図。
【図７】横架材と横架材Ｔ字形仕口の施行例（フック部材構成仕様）取り合い斜視図。
【図８】管柱が取り合う横架材と横架材Ｔ字形仕口の施行例（フック部材構成仕様）取り合い斜視図。
【図９】通し柱に二方向からの横架材仕口の施行例（フック部材構成２仕様）取り合い斜視図。
【図１０】二階床組みなどでの横架材の腰掛かま継ぎ手が取り合う斜視図と通し柱を配置させ継ぎ手をなくした施行例の斜視図。
【図１１】一階床組み・二階床組み・二階建て軸組みによる各階軸組構造の斜視図。継ぎ手をなくすことが出来た、一棟の軸組み木構造の（小屋組みの母屋・棟木などに台持ち継ぎ手を採用している。）斜視図。
【符号の説明】
【００１８】ａ  フック部材
ｂ  六角ボルト
ｃ  両螺子ボルト
ｄ  ドリフトピン
１  通し柱
２  横架材（土台・梁など）
３  管柱
４  フック部材挿入穴
５  込み栓用穴
６  大入れ
７  従来の臍・臍穴
８  継ぎ手（オス・メス部）
９  一階床組み
１０  二階床組み（胴差し）
１１  二階建て軸組み
１２  軸組み木構造（小屋組み）
【手続補正４】
【補正対象書類名】図面
【補正対象項目名】全図
【補正方法】変更
【補正の内容】
【図１】
0003131922.tif 000016
【図２】
0003131922.tif 000017
【図３】
0003131922.tif 000018
【図４】
0003131922.tif 000019
【図５】
0003131922.tif 000020
【図６】
0003131922.tif 000021
【図７】
0003131922.tif 000022
【図８】
0003131922.tif 000023
【図９】
0003131922.tif 000024
【図１０】
0003131922.tif 000025
【図１１】
0003131922.tif 000026
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
Ｔ字状の仕口構造を形成する為に、横架材の長さ方向端面を他の横架材の長尺な側面に接合する構造用金物であって
接合する横架材の端面に穿設された軸方向に伸びる穴部に挿入される断面Ｕ字状のフック部材と、
当該横架材を軸方向と直交する向きに貫通すると共に、当該フック部材の湾曲した底面部に当接して、当該フック部材を当該穴部内に保持するドリフトピンと、
前記横架材が接合される他の横架材を貫通すると共に、前記フック部材に螺合するボルトとからなる、構造用金物。
【請求項２】
十字状の仕口構造を形成する為に、２つの横架材の長さ方向端面を通し柱の側面に接合する構造用金物であって
接合する各横架材の端面に穿設された軸方向に伸びる穴部に挿入される断面Ｕ字状のフック部材と、
当該各横架材を軸方向に直交する向きに貫通すると共に、当該フック部材の湾曲した底面部に当接して、当該フック部材を当該穴部内に保持するドリフトピンと、
前記２つの横架材が接合される通し柱を貫通すると共に、前記各横架材に設けられたフック部材に螺合する両螺子ボルトとからなる、構造用金物。
【請求項３】
複数の横架材および通し柱の少なくとも２つ以上を接合してなる仕口構造を有する軸組構造物であり、
当該仕口構造は、それを構成する横架材または通し柱を、請求項１または２に記載の構造用金物で接合することで形成されており、
前記フック部材が挿入される横架材の端面に形成された穴部の断面積が、１．１３ｃｍ２〜５．７２ｃｍ２の範囲内である、軸組構造物
【請求項４】
少なくとも通し柱、横架材、および管柱で構成された軸組構造物であり、
横架材と通し柱とは、前記請求項２に記載の構造用金物で接合されており、且つ
当該横架材と接合された通し柱を、管柱と管柱の間の横架材の継ぎ手位置に設けて、継ぎ手を作らない事を特徴とする、軸組構造物。